(57)【要約】【課題】高い水準で個人情報の漏洩防止を図りつつ、利用者の要求に応じて適切に動画像を提供することができる画像処理システムを提供する。【解決手段】利用者が動画像の再生出力を要求している場合（ステップＳ２０６のＹＥＳ）であって、アクセス権限が所定レベルを超えている場合（ステップＳ２１０のＹＥＳ）、マスク処理を施さずに動画像を再生出力する（ステップＳ２１４）。利用者が動画像の再生出力を要求している場合（ステップＳ２０６のＹＥＳ）であって、アクセス権限が所定レベル以下である場合（ステップＳ２１０のＮＯ）、動画像をマスク処理状態に加工した上で、当該動画像を再生出力する（ステップＳ２１４）。利用者が動画像の外部出力を要求している場合（ステップＳ２１６のＹＥＳ）、動画像にマスク処理変換を実行して外部出力する（ステップＳ２１８およびステップＳ２２０）。【選択図】図４
2017184120.tif 000002
【特許請求の範囲】
【請求項１】
被験者が撮像された動画像を蓄積する蓄積手段と、
前記蓄積手段に蓄積されている動画像に係るアクセスを利用者から受け付けるアクセス受付手段と、
動画像にアクセスしている利用者に対してアクセス権限を設定する権限設定手段と、
動画像にアクセスしている利用者が当該動画像の再生出力を要求した場合、当該利用者に設定されている前記アクセス権限が所定レベル以下であれば、被験者の顔領域の少なくとも一部を秘匿するマスク処理を施して動画像を再生出力し、当該利用者に設定されている前記アクセス権限が前記所定レベルを超えていれば、前記マスク処理を施さずに動画像を再生出力する再生出力手段と、
動画像にアクセスしている利用者が当該動画像の外部出力を要求した場合、当該利用者に設定されている前記アクセス権限に関わらず、前記マスク処理を施して動画像を外部出力する外部出力手段と、
を備える画像処理システム。
【請求項２】
少なくとも前記外部出力手段を実現するサーバ装置と、
少なくとも前記再生出力手段を実現する視聴端末装置と、を含む請求項１に記載の画像処理システム。
【請求項３】
前記外部出力手段および前記再生出力手段は、
利用者が再生出力または外部出力を要求している動画像と予め用意されている照合パターンとを照合することによって、当該動画像に撮像されている被験者の顔領域を判別する顔判別処理を実行し、前記顔判別処理によって判別された顔領域に前記マスク処理を施しうる請求項１または２に記載の画像処理システム。
【請求項４】
所定の施術または検査を受けている被験者の顔領域のうち、少なくとも前記所定の施術または検査において露出される露出部分を撮像する撮像手段を備え、
前記外部出力手段および前記再生出力手段は、
前記露出部分に係る前記照合パターンを用いて前記顔判別処理を実行し、
少なくとも前記露出部分を秘匿する前記マスク処理を施しうることを特徴とする請求項３に記載の画像処理システム。
【発明の詳細な説明】
【技術分野】
【０００１】
本発明は、画像処理システムに関する。
【背景技術】
【０００２】
近年、多くの会社・組織において事業に関わる者の個人情報が、ＩＴシステムによって電子情報として一括管理されている。また、このようなＩＴシステムを活用している会社・組織は、管理している個人情報の保護に努めることが義務付けられており、個人情報を保護するために開発された技術は多岐にわたる。
この種の技術として、下記の特許文献１を例示する。
【０００３】
特許文献１には、医療機関が保有している電子カルテや、街中で撮影された監視カメラの画像なども対象として、個人情報を保護しつつも有益な情報を共有するための画像処理機能を有する装置（情報共有支援装置）が記載されている。
より具体的には、当該装置は、医療情報のうち個人情報の部分にモザイク処理を施して匿名化することによって個人情報を保護することができる。また、当該装置は、特定の権限者（例えば、主治医）のみ個人情報と生体情報の両方にアクセスできるように構成することによって、不特定多数の者に個人情報と生体情報が閲覧されることを防止している。
【先行技術文献】
【特許文献】
【０００４】
【特許文献１】特開２００４−１４５４８３号公報
【発明の概要】
【発明が解決しようとする課題】
【０００５】
特許文献１に記載されている装置は、装置内に蓄積されている個人情報の漏洩については一定の配慮がなされているものの、蓄積されている個人情報を装置外に外部出力する際に関する漏洩防止策については、未だ改善の余地がある。
【０００６】
本発明は、上記の課題に鑑みなされたものであり、高い水準で個人情報の漏洩防止を図りつつ、利用者の要求に応じて適切に動画像を提供することができる画像処理システムを提供するものである。
【課題を解決するための手段】
【０００７】
本発明によれば、被験者が撮像された動画像を蓄積する蓄積手段と、前記蓄積手段に蓄積されている動画像に係るアクセスを利用者から受け付けるアクセス受付手段と、動画像にアクセスしている利用者に対してアクセス権限を設定する権限設定手段と、動画像にアクセスしている利用者が当該動画像の再生出力を要求した場合、当該利用者に設定されている前記アクセス権限が所定レベル以下であれば、被験者の顔領域の少なくとも一部を秘匿するマスク処理を施して動画像を再生出力し、当該利用者に設定されている前記アクセス権限が前記所定レベルを超えていれば、前記マスク処理を施さずに動画像を再生出力する再生出力手段と、動画像にアクセスしている利用者が当該動画像の外部出力を要求した場合、当該利用者に設定されている前記アクセス権限に関わらず、前記マスク処理を施して動画像を外部出力する外部出力手段と、を備える画像処理システムが提供される。
【０００８】
上記発明によれば、所定レベルを超えるアクセス権限を有する利用者のみ、マスク処理を低減させた動画像を再生出力することができるので、利用者の要求に応じて適切に動画像を提供することができる。
また、上記発明によれば、外部出力した動画像には必ずマスク処理が施されるので、個人情報の漏洩防止を十分に図ることができる。
【発明の効果】
【０００９】
本発明によれば、高い水準で個人情報の漏洩防止を図りつつ、利用者の要求に適切に応じて動画像を提供することができる画像処理システムが提供される。
【図面の簡単な説明】
【００１０】
【図１】本実施形態に係る画像処理システムを示す図である。
【図２】本実施形態に係る画像処理システムを示す図である。
【図３】動画像を撮像してから蓄積するまでの画像処理システムにおける処理手順を示すフローチャートである。
【図４】利用者がアクセスしてから利用者の要求に応じるまでの画像処理システムにおける処理手順を示すフローチャートである。
【発明を実施するための形態】
【００１１】
以下、本発明の実施形態について、図面を用いて説明する。なお、すべての図面において、同様の構成要素には同一の符号を付し、適宜に説明を省略する。
【００１２】
＜画像処理システム１００に含まれる各構成要素について＞
図１と図２は、本実施形態に係る画像処理システム１００を示す図である。
なお、図１と図２に図示される矢印は、各構成要素の間において授受される動画像の出力元と入力先とを示すものである。従って、動画像以外の情報やデータの授受については、必ずしも各矢印が示す内容と一致しなくてよい。
【００１３】
画像処理システム１００は、カメラ１１０とエンコーダ１２０とサーバ装置１３０と視聴端末装置１４０とを備えている。
カメラ１１０は、所定の施術または検査を受けている被験者の顔領域を撮像して、動画像を生成する。すなわち、カメラ１１０は、本発明に係る撮像手段を構成する。なお、カメラ１１０によって生成される動画像はデジタルデータである。
エンコーダ１２０は、カメラ１１０によって生成された動画像に対してエンコード処理（符号化）を施し、サーバ装置１３０への転送および蓄積に適した形式に当該動画像を変換する。このとき、エンコーダ１２０は、圧縮処理を動画像に施してサーバ装置１３０に蓄積させることが好ましい。これにより、サーバ装置１３０に蓄積される動画像の容量を削減することができるからである。
サーバ装置１３０は、被験者が撮像された動画像を蓄積する。また、サーバ装置１３０は、蓄積されている動画像に係るアクセスを利用者から受け付ける。さらに、サーバ装置１３０は、動画像にアクセスしている利用者に対してアクセス権限を設定する。さらに、サーバ装置１３０は、蓄積されている動画像にアクセスしている利用者が当該動画像の外部出力を要求した場合、当該動画像を外部出力する。すなわち、サーバ装置１３０は、本発明に係る蓄積手段とアクセス受付手段と権限設定手段と外部出力手段とを構成する。
視聴端末装置１４０は、サーバ装置１３０に付設されているコンピュータ機器である。また、視聴端末装置１４０は、サーバ装置１３０に蓄積されている動画像にアクセスしている利用者が当該動画像の再生出力を要求した場合、当該動画像を再生出力する。すなわち、視聴端末装置１４０は、本発明に係る再生出力手段を構成する。
【００１４】
ここで被験者とは、検査目的として行われる行為の対象者に限らず、医療目的として行われる行為の対象者も該当する。
ここで所定の施術とは、被験者に対して医療目的で行われる特定の行為である。また、所定の検査とは、被験者に対して検査目的で行われる特定の行為である。
【００１５】
ここで動画像とは、表示装置によって表示（再生）されると動く映像として視認されるものをいう。動画像には、いわゆる動画形式のデータファイルで記録されて表示されるものに限らず、静止画形式のデータファイルで記録され、それらを連続的に表示させることによって動く映像として視認されるものも含まれる。
ここでマスク処理とは、動画像に対する画像処理であって、当該動画像に撮像されている被験者の顔領域の少なくとも一部を秘匿する処理をいう。より詳細には、マスク処理を行うことによって、当該動画像に撮像されている顔領域のうち、所定の施術または検査において露出される露出部分が少なくとも秘匿されることが好ましい。
なお、本実施形態における露出部分とは、被験者の顔領域のうち目、鼻、口を包含する領域であり、以下の説明においては、少なくとも被験者の目、鼻、口を秘匿するようにマスク処理が施される実施態様によって以下説明する。
【００１６】
ここで「アクセス権限を設定する」とは、アクセスしている利用者が事前に登録されている者であれば、既に設定されているアクセス権限を読み出すことであってもよい。また、アクセスしている利用者が未登録の者であれば、ゲスト扱いとして最低レベルのアクセス権限を設定することであってもよい。
【００１７】
ここで再生出力とは、画像処理システム１００に蓄積されている動画像をデコードし、デコードした動画像を画像処理システム１００に含まれる表示装置（例えば、視聴端末装置１４０）によって再生することをいう。
ここで外部出力とは、画像処理システム１００に蓄積されている動画像を、画像処理システム１００に含まれない外部装置に出力することをいう。
なお、画像処理システム１００に蓄積されている動画像を、画像処理システム１００に含まれない表示装置に出力して再生させる処理は、本実施形態においては「再生出力」に該当せず「外部出力」に該当する。
【００１８】
以下、図１または図２に示される各構成要素について、より詳細に説明する。
カメラ１１０は、所定の施術または検査を受けている被験者の顔領域のうち、少なくとも所定の施術または検査において露出される露出部分を撮像することによって動画像を生成する。
【００１９】
エンコーダ１２０は、録画開始ボタン１２１と、録画停止ボタン１２２と、静止画撮影ボタン１２３と、を有している。
録画開始ボタン１２１は、カメラ１１０から入力される動画像の記録（録画）を開始する契機となる操作を受け付けるボタンである。
録画停止ボタン１２２は、カメラ１１０から入力される動画像の記録（録画）を停止する契機となる操作を受け付けるボタンである。
静止画撮影ボタン１２３は、カメラ１１０から入力される動画像の１コマを、静止画として記録する契機となる操作を受け付けるボタンである。
また、エンコーダ１２０は表示領域を有しており、カメラ１１０から入力されている動画像である動画像ＤＲ１を表示する。
【００２０】
サーバ装置１３０は、エンコーダ１２０によってエンコード処理が施された動画像が蓄積されている。
また、サーバ装置１３０は、アクセスしている利用者から受け付けた要求に応じて所定のサービスを提供するコンピュータ機器であって、所定のサービスには少なくとも蓄積されている動画像の再生出力または外部出力が含まれる。
なお、サーバ装置１３０は、アクセスしている利用者から再生出力の要求を受け付けた場合、要求された動画像を視聴端末装置１４０に転送し、アクセスしている利用者から外部出力の要求を受け付けた場合、マスク処理を施して動画像を外部出力する。
【００２１】
視聴端末装置１４０は、サーバ装置１３０に蓄積されている動画像を再生出力するためのアプリケーションソフト（ビューア）がインストールされているコンピュータ機器である。なお、図１または図２においては、視聴端末装置１４０が単一であるかのように図示しているが、画像処理システム１００に複数の視聴端末装置１４０が設けられていてもよい。また、視聴端末装置１４０にインストールされているビューアは、専用のアプリケーションソフトであってもよいし、汎用のアプリケーションソフト（例えば、インターネットブラウザ）であってもよい。
視聴端末装置１４０は、マスク処理を施した動画像を再生出力する場合と、マスク処理を施さずに動画像を再生出力する場合と、がある。ここで「マスク処理を施さずに動画像を再生出力する」とは、被験者の顔領域を秘匿する画像処理を行わずに動画像を再生出力することである。すなわち、被験者の顔領域を除く他の領域について秘匿する画像処理の実行については、必ずしも制限するものではない。
なお、マスク処理を施さずに出力された動画像は、マスク処理を施した動画像に比べて、被験者の顔領域に係る秘匿性が低減する一方で、被験者の顔領域に係る視認性が向上する。
【００２２】
図１は、視聴端末装置１４０がマスク処理を施して動画像ＤＲ２を再生出力し、サーバ装置１３０がマスク処理を施した動画像ＤＲ３を外部端末３００が再生出力している状況を示す。なお、本実施形態における視聴端末装置１４０は、サーバ装置１３０からストリーミング配信されている動画像を再生出力する。
動画像にアクセスしている利用者が当該動画像の再生出力を要求した場合、当該利用者に設定されているアクセス権限が所定レベル以下であれば、図１に図示するように、被験者の顔領域の少なくとも一部を秘匿するマスク処理を施して動画像ＤＲ２を再生出力する。より詳細には、サーバ装置１３０からストリーミング配信されている動画像および当該動画像に付加した付加データに基づいて、視聴端末装置１４０にインストールされているビューアが、視聴端末装置１４０のリソースを利用して、当該動画像に対してリアルタイムにマスク処理を施しながら、当該動画像を再生出力する。従って、サーバ装置１３０が、ストリーミング配信した動画像を、視聴端末装置１４０に再生出力させているとも換言することができる。
また、動画像にアクセスしている利用者が当該動画像の外部出力を要求した場合、当該利用者に設定されているアクセス権限に関わらず、図１に図示するように、サーバ装置１３０はマスク処理を施した動画像ＤＲ３を外部出力し、通信網２００を介して動画像ＤＲ３を入力した外部端末３００は動画像ＤＲ３を再生出力する。
一方で、図２は、視聴端末装置１４０が、マスク処理を施さずに動画像ＤＲ４を再生出力している状況を示す。
動画像にアクセスしている利用者が当該動画像の再生出力を要求した場合、当該利用者に設定されているアクセス権限が所定レベルを超えていれば、図２に図示するように、視聴端末装置１４０はマスク処理を施さずに動画像ＤＲ４を再生出力する。
【００２３】
上記のように、サーバ装置１３０および視聴端末装置１４０は、利用者が動画像の外部出力または再生出力を要求している場合、その要求に応じて、蓄積している動画像にマスク処理を実行しうる。
この場合、サーバ装置１３０および視聴端末装置１４０は、利用者が外部出力または再生出力を要求している動画像と予め用意されている照合パターンとを照合することによって、当該動画像に撮像されている被験者の顔領域を判別する顔判別処理を実行し、顔判別処理によって判別された顔領域にマスク処理を施しうることが好ましい。利用者の要求に自動的に応答できるからである。
さらに、サーバ装置１３０および視聴端末装置１４０は、露出部分に係る照合パターンを用いて顔判別処理を実行し、少なくとも露出部分を秘匿するマスク処理を施しうることが好ましい。顔判別処理の精度が向上するからである。
【００２４】
なお、図１に示す通信網２００の例としては、インターネット、携帯電話通信網、ＬＡＮ（Local Area Network）またはこれらの複数が組み合わされたネットワーク等が挙げられる。また、通信ネットワーク１０とサーバ装置１３０との間における通信は有線であっても無線であってもよい。
また、図１に示す外部端末３００の例としては、パーソナルコンピュータ（パソコン）、携帯電話、スマートフォン、タブレット端末、ウェアラブル端末等が挙げられる。
【００２５】
＜画像処理システム１００に係る処理手順について＞
図３は、動画像を撮像してから蓄積するまでの画像処理システム１００における処理手順を示すフローチャートである。
まず、カメラ１１０が、被験者を撮像して動画像を生成する（ステップＳ１０２）。
次に、エンコーダ１２０が、ステップＳ１０２において生成された動画像に対してエンコード処理を行い（ステップＳ１０４）、エンコード処理が施された動画像をサーバ装置１３０に転送する（ステップＳ１０６）。
続いて、エンコーダ１２０から転送された動画像を受信したサーバ装置１３０は、当該動画像を蓄積する（ステップＳ１０８）。
【００２６】
なお、ステップＳ１０８において、サーバ装置１３０は、受信した動画像と、当該動画像に撮像されている被験者に係る個人情報と、を関連付けてデータベース化を図ることが好ましい。
【００２７】
図４は、利用者がアクセスしてから利用者の要求に応じるまでの画像処理システム１００における処理手順を示すフローチャートである。
まず、サーバ装置１３０が、利用者からアクセスを受け付けると（ステップＳ２０２）、当該利用者に対してアクセル権限を設定する（ステップＳ２０４）。
次に、サーバ装置１３０にアクセスしている利用者が視聴端末装置１４０から動画像の再生出力を要求している場合（ステップＳ２０６のＹＥＳ）、サーバ装置１３０は視聴端末装置１４０に対して動画像を転送する（ステップＳ２０８）。
ここで、当該利用者に設定されているアクセス権限が所定レベルを超えている場合（ステップＳ２１０のＹＥＳ）、視聴端末装置１４０は、ステップＳ２０８で転送された動画像に対してマスク処理を施さずに、当該動画像を再生出力する（ステップＳ２１４）。
或いは、当該利用者に設定されているアクセス権限が所定レベル以下である場合（ステップＳ２１０のＮＯ）、視聴端末装置１４０は、ステップＳ２０８で転送された動画像をマスク処理状態に加工した上で、当該動画像を再生出力する（ステップＳ２１４）。
或いは、サーバ装置１３０にアクセスしている利用者が動画像の再生出力を要求しておらず（ステップＳ２０６のＮＯ）、当該利用者が動画像の外部出力を要求している場合（ステップＳ２１６のＹＥＳ）、サーバ装置１３０は、要求されている動画像にマスク処理変換を実行して（ステップＳ２１８）、マスク処理変換した動画像を外部出力する（ステップＳ２２０）。
【００２８】
なお、サーバ装置１３０にアクセスしている利用者が動画像の再生出力を要求しておらず（ステップＳ２０６のＮＯ）、かつ当該利用者が動画像の外部出力も要求していない場合（ステップＳ２１６のＮＯ）、サーバ装置１３０は当該利用者から動画像に係る要求を受け付けるまで待機する。
【００２９】
上記のように、画像処理システム１００は、所定レベルを超えるアクセス権限を有する利用者のみ、マスク処理を低減された動画像を再生出力することが可能な構成になっているので、利用者の要求に応じて適切に動画像を提供することができる。
また、画像処理システム１００は、外部出力した動画像には必ずマスク処理が施される構成になっているので、個人情報の漏洩防止を十分に図ることができる。
【００３０】
＜本発明の変形例について＞
ここまで図１から図４を用いて説明される実施形態に即して本発明を説明したが、本発明は上述の実施形態に限定されるものではなく、本発明の目的が達成される限りにおける種々の変形、改良等の態様も含む。
【００３１】
上述の実施形態における画像処理システム１００は、カメラ１１０を含む構成である実施態様で説明したが、本発明の実施はこれに限られない。
例えば、本発明に係る画像処理システムは、カメラ１１０に相当する撮像手段を必ずしも備えなくてよく、外部装置である撮像手段によって撮像された動画像を蓄積してもよい。
【００３２】
上述の実施形態において、本発明に係る蓄積手段とアクセス受付手段と権限設定手段と外部出力手段とはサーバ装置１３０によって実現され、本発明に係る再生出力手段は視聴端末装置１４０によって実現される態様を述べたが、本発明の実施はこれに限られない。
ただし、サーバ装置１３０は、少なくとも本発明に係る外部出力手段を実現することが好ましく、視聴端末装置１４０は、少なくとも本発明に係る再生出力手段を実現することが好ましい。すなわち、外部出力手段と再生出力手段とは別のコンピュータ機器に分けて実現されることが好ましい。なぜならば、利用者からの要求応答時に関して処理負荷が分散されるので、画像処理システム全体として即応性が高まるからである。
なお、再生出力手段によるアクセス権限に係る判定については、必ずしも視聴端末装置１４０のみによって実行される必要はなく、サーバ装置１３０によって実行されて、その判定結果を動画像に付加して視聴端末装置１４０に転送する構成であってもよい。
【００３３】
上述の実施形態におけるカメラ１１０は、被験者の顔領域のみが動画像に表れるように撮像する実施態様で説明したが、本発明の撮像手段による撮像範囲は特に制限されるものではない。従って、動画像に撮像される領域はより広範囲であってもよい。このとき、被験者以外の者、例えば、施術を行う施術者や検査を行う検査者が撮像される可能性が高まる。さらに、顔判別処理によってマスク処理の対象領域を自動判別する場合には、施術者や検査者の顔領域に対して無駄にマスク処理を行う虞がある。
上記のような虞を回避するため、以下のような対策を採ってもよい。すなわち、外部出力手段および再生出力手段は、動画像に撮像されている対象者を検知し、検知した対象者の移動量を算出し、算出された移動量が閾値を超える対象者に対するマスク処理の実行を制限し、算出された移動量が閾値以下である対象者に対してマスク処理を実行してもよい。
【００３４】
上記の実施形態の説明においては図１または図２に図示する構成要素を前提として説明したが、本発明の各構成要素は、その機能を実現するように形成されていればよい。従って、本発明の遊技機の各構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等を許容する。
【００３５】
上記の実施形態の説明においては図３または図４に図示するフローチャートを用いた。これらのフローチャートは、順番に記載された複数のステップを含むものであるが、その記載の順番は複数のステップを実行する順番やタイミングを、図示した一つの態様に限定するものではない。このため、本発明を実施するときには、その複数のステップの順番は内容的に支障のない範囲で変更することができ、また複数のステップの実行タイミングの一部または全部が互いに重複していてもよい。
【００３６】
本実施形態は以下の技術思想を包含する。
（１）被験者が撮像された動画像を蓄積する蓄積手段と、前記蓄積手段に蓄積されている動画像に係るアクセスを利用者から受け付けるアクセス受付手段と、動画像にアクセスしている利用者に対してアクセス権限を設定する権限設定手段と、動画像にアクセスしている利用者が当該動画像の再生出力を要求した場合、当該利用者に設定されている前記アクセス権限が所定レベル以下であれば、被験者の顔領域の少なくとも一部を秘匿するマスク処理を施して動画像を再生出力し、当該利用者に設定されている前記アクセス権限が前記所定レベルを超えていれば、前記マスク処理を施さずに動画像を再生出力する再生出力手段と、動画像にアクセスしている利用者が当該動画像の外部出力を要求した場合、当該利用者に設定されている前記アクセス権限に関わらず、前記マスク処理を施して動画像を外部出力する外部出力手段と、を備える画像処理システム。
（２）少なくとも前記外部出力手段を実現するサーバ装置と、少なくとも前記再生出力手段を実現する視聴端末装置と、を含む（１）に記載の画像処理システム。
（３）前記外部出力手段および前記再生出力手段は、利用者が再生出力または外部出力を要求している動画像と予め用意されている照合パターンとを照合することによって、当該動画像に撮像されている被験者の顔領域を判別する顔判別処理を実行し、前記顔判別処理によって判別された顔領域に前記マスク処理を施しうる（１）または（２）に記載の画像処理システム。
（４）所定の施術または検査を受けている被験者の顔領域のうち、少なくとも前記所定の施術または検査において露出される露出部分を撮像する撮像手段を備え、前記外部出力手段および前記再生出力手段は、前記露出部分に係る前記照合パターンを用いて前記顔判別処理を実行し、少なくとも前記露出部分を秘匿する前記マスク処理を施しうることを特徴とする（３）に記載の画像処理システム。
（ａ）前記外部出力手段および前記再生出力手段は、動画像に撮像されている対象者を検知し、検知した対象者の移動量を算出し、算出された移動量が閾値を超える対象者に対する前記マスク処理の実行を制限し、算出された移動量が前記閾値以下である対象者に対して前記マスク処理を実行しうる（１）から（４）のいずれか一つに記載の画像処理システム。
【符号の説明】
【００３７】
１００  画像処理システム
１１０  カメラ
１２０  エンコーダ
１２１  録画開始ボタン
１２２  録画停止ボタン
１２３  静止画撮影ボタン
１３０  サーバ装置
１４０  視聴端末装置
２００  通信網
３００  外部端末
ＤＲ１〜ＤＲ４  動画像
【図１】
2017184120.tif 000003
【図２】
2017184120.tif 000004
【図３】
2017184120.tif 000005
【図４】
2017184120.tif 000006
【手続補正書】
【提出日】平成29年7月19日(2017.7.19)
【手続補正１】
【補正対象書類名】特許請求の範囲
【補正対象項目名】全文
【補正方法】変更
【補正の内容】
【特許請求の範囲】
【請求項１】
サーバ装置と、前記サーバ装置に接続された一又は複数の視聴端末装置と、を含む画像処理システムであって、
前記サーバ装置は、
被験者が撮像された動画像を蓄積する蓄積手段と、
前記蓄積手段に蓄積されている動画像に係るアクセスを利用者から受け付けるアクセス受付手段と、
動画像にアクセスしている利用者に対してアクセス権限を設定する権限設定手段と、
動画像にアクセスしている利用者が当該動画像を前記画像処理システムに含まれない外部装置に外部出力することを要求した場合、当該利用者に設定されている前記アクセス権限に関わらず、被験者の顔領域の少なくとも一部を秘匿するマスク処理を施して動画像を外部出力する外部出力手段と、
動画像にアクセスしている利用者が当該動画像を前記視聴端末装置によって再生出力することを要求した場合、当該利用者が要求した前記視聴端末装置に前記マスク処理を施さずに動画像を転送する転送手段と、
を備え、
前記転送手段から動画像を転送された前記視聴端末装置は、
当該動画像の再生出力を要求した利用者に設定された前記アクセス権限が所定レベル以下であれば、転送された動画像に対して前記マスク処理を施して再生出力し、
当該動画像の再生出力を要求した利用者に設定された前記アクセス権限が前記所定レベルを超えていれば、転送された動画像に対して前記マスク処理を施さずに再生出力する画像処理システム。
【手続補正２】
【補正対象書類名】明細書
【補正対象項目名】０００７
【補正方法】変更
【補正の内容】
【０００７】
本発明によれば、サーバ装置と、前記サーバ装置に接続された一又は複数の視聴端末装置と、を含む画像処理システムであって、前記サーバ装置は、被験者が撮像された動画像を蓄積する蓄積手段と、前記蓄積手段に蓄積されている動画像に係るアクセスを利用者から受け付けるアクセス受付手段と、動画像にアクセスしている利用者に対してアクセス権限を設定する権限設定手段と、動画像にアクセスしている利用者が当該動画像を前記画像処理システムに含まれない外部装置に外部出力することを要求した場合、当該利用者に設定されている前記アクセス権限に関わらず、被験者の顔領域の少なくとも一部を秘匿するマスク処理を施して動画像を外部出力する外部出力手段と、動画像にアクセスしている利用者が当該動画像を前記視聴端末装置によって再生出力することを要求した場合、当該利用者が要求した前記視聴端末装置に前記マスク処理を施さずに動画像を転送する転送手段と、を備え、前記転送手段から動画像を転送された前記視聴端末装置は、当該動画像の再生出力を要求した利用者に設定された前記アクセス権限が所定レベル以下であれば、転送された動画像に対して前記マスク処理を施して再生出力し、当該動画像の再生出力を要求した利用者に設定された前記アクセス権限が前記所定レベルを超えていれば、転送された動画像に対して前記マスク処理を施さずに再生出力する画像処理システムが提供される。